(57)【要約】【課題】保護カバーの共振により生じる騒音を低減する。【解決手段】圧縮機のケーシングに設けられた接続端子の周囲を取り囲む防護壁に取り付けられる圧縮機用保護カバーであって、前記防護壁の開口端部と対向するように設けられ、前記圧縮機用保護カバーの発音する固有振動モードにおいて前記開口端部と接触する少なくとも１以上の凸部を備える。【選択図】図３
2015117690.tif 000002
【特許請求の範囲】
【請求項１】
圧縮機のケーシングに設けられた接続端子の周囲を取り囲む防護壁に取り付けられる圧縮機用保護カバーであって、
前記防護壁の開口端部と対向するように設けられ、前記圧縮機用保護カバーの発音する固有振動モードにおいて前記開口端部と接触する少なくとも１以上の凸部を備える圧縮機用保護カバー。
【請求項２】
前記凸部が、前記開口端部と対向する部分において、前記保護カバーの発音する固有振動モードで最も振幅の大きい位置に設けられている請求項１記載の圧縮機用保護カバー。
【請求項３】
前記凸部を複数備えており、
前記複数の凸部が、前記開口端部と対向する部分において、前記保護カバーの発音する固有振動モードで前記開口端部と同時に接触するように設けられている請求項１又は２記載の圧縮機用保護カバー。
【請求項４】
前記凸部が、前記開口端部の先端面及び外側面に対向するように設けられている請求項１乃至３の何れか一項に記載の圧縮機用保護カバー。
【請求項５】
前記防護壁の開口を覆う面板部を備えており、
前記発音する固有振動モードが、前記面板部が面外方向に最も大きく振動するモードである請求項２記載の圧縮機用保護カバー。
【請求項６】
前記防護壁に固定するための係止爪をさらに備えており、
前記凸部が、前記係止爪の近傍に設けられている請求項１乃至５の何れか一項に記載の圧縮機用保護カバー。
【請求項７】
前記凸部が一体形成されている請求項１乃至６の何れか一項に記載の保護カバー。
【請求項８】
請求項１乃至７の何れか一項に記載の圧縮機用保護カバーを用いた圧縮機。
【発明の詳細な説明】
【技術分野】
【０００１】
本発明は、圧縮機のケーシングに設けられた接続端子の周囲を取り囲む防護壁に取り付けられる圧縮機用保護カバーに関するものである。
【背景技術】
【０００２】
圧縮機のケーシングには、複数の接続端子を有するターミナルが設けられており、このターミナルは、例えば特許文献１に示すように、保護カバーによって保護されている。
【０００３】
具体的にこの保護カバーは、圧縮機のケーシングにおいて前記ターミナルの周囲を取り囲むように設けられた防護壁を覆うように取り付けられている。なお、防護壁は、例えばステンレス鋼などの金属製のものが使用されている。
【先行技術文献】
【特許文献】
【０００４】
【特許文献１】特開平４−３３４９４４号公報
【発明の概要】
【発明が解決しようとする課題】
【０００５】
ところで、保護カバーには、圧縮機の動作に伴って防護壁から振動（加振力）が伝わり、発音する固有振動モードで振動（共鳴）して騒音が生じてしまうという問題がある。この問題は、近年の空気調和機の省エネ化に伴って、圧縮機の高速化が進んでいることから、特に顕著となっている。
【０００６】
そこで本発明は、上記問題点を解決すべくなされたものであり、圧縮機用保護カバーの共振により生じる騒音を低減することを主たる課題とするものである。
【課題を解決するための手段】
【０００７】
すなわち本発明に係る圧縮機用保護カバーは、圧縮機のケーシングに設けられた接続端子の周囲を取り囲む防護壁に取り付けられる圧縮機用保護カバーであって、前記防護壁の開口端部と対向するように設けられ、前記圧縮機用保護カバーの発音する固有振動モードにおいて前記開口端部と接触する少なくとも１以上の凸部を備えることを特徴とする。
【０００８】
このようなものであれば、保護カバーの発音する固有振動モードにおいて、防護壁の開口端部に接触する凸部を備えているので、防護壁から受ける加振力によって保護カバーが共振（共鳴）したとしても、凸部が開口端部に接触することで、固有振動モード（共鳴）を減衰させることができ、騒音を低減することができる。
また、凸部により保護カバーの固有振動モードにおける振幅を小さくすることができ、防護壁から受ける加振力を弱めることができる。これによっても、固有振動モード（共鳴）を減衰させることができ、騒音を低減することができる。
【０００９】
また、本発明に係る圧縮機用保護カバーは、圧縮機のケーシングに設けられた接続端子の周囲を取り囲む防護壁に取り付けられる圧縮機用保護カバーであって、前記防護壁の先端面及び側面と対向するように設けられる少なくとも１以上の凸部を備えることを特徴とする。
【００１０】
このようなものであれば、凸部を防護壁の先端面及び側面と対向するように設けているので、防護壁から受ける加振力によって保護カバーが共振（共鳴）したとしても、凸部が防護壁の先端面又は側面に接触することで、共振（共鳴）を減衰させることができ、騒音を低減することができる。
また、凸部により保護カバーの固有振動モードにおける振幅を小さくすることができ、防護壁から受ける加振力を弱めることができる。これによっても、固有振動モード（共鳴）を減衰させることができ、騒音を低減することができる。
【００１１】
前記凸部が、前記開口端部と対向する部分において、前記保護カバーの発音する固有振動モードで最も振幅の大きい位置に設けられていることが望ましい。
このように凸部を最も振幅の大きい位置に設けているので、発音する固有振動モードを効率良く減衰させることができ、騒音を好適に低減させることができる。
【００１２】
前記保護カバーが、前記凸部を複数（２以上）備えていることが望ましい。
このように複数の凸部を備えたものであれば、安定した振幅規制が可能となる。特に、振幅規制を好適に行うためには、３つの凸部を備えたものが望ましい。
例えば、保護カバーが、一面が開口する概略箱形状をなすものの場合には、４つの側壁のうち少なくとも対向する側壁それぞれに凸部が設けられていることが望ましい。
【００１３】
前記複数の凸部が、前記開口端部と対向する部分において、前記保護カバーの発音する固有振動モードで前記開口端部と同時に接触するように設けられていることが望ましい。例えば、前記保護カバーの発音する固有振動モードにおいて、前記複数の凸部それぞれと前記開口端部とのクリアランスが互いに同じであっても良いし、互いに異なるものであっても良い。
これならば、複数の凸部が発音する固有振動モードで開口端部に同時に接触するので、保護カバーの共振（共鳴）を効率良く減衰させることができ、騒音を低減することができる。また、防護壁から受ける加振力を複数の凸部に分散させて、各凸部が防護壁から受ける加振力を弱めることができ、共振（共鳴）を減衰させることができ、騒音を低減することができる。
【００１４】
凸部の具体的な実施の態様としては、前記凸部が、前記開口端部の先端面及び外側面に対向するように設けられていることが考えられる。
このように凸部が、開口端部の外側面だけでなく先端面に対向するように設けられているので、発音する固有振動モードをより一層効率良く減衰させることができる。
【００１５】
前記圧縮機用保護カバーが、前記防護壁の開口を覆う面板部を備えており、前記発音する固有振動モードが、前記面板部が面外方向に最も大きく振動するモードであることが望ましい。なお、圧縮機用保護カバーとしては、前記面板部の他に、前記防護壁の外側周面を囲繞する囲繞壁部を有する構成が考えられる。
このように発音する固有振動モードが、面板部が面外方向に最も大きく振動するモードの場合に、最も大きい騒音となるため、このモードを減衰させることで、騒音の低減効果を顕著にすることができる。
【００１６】
前記防護壁に固定するための係止爪をさらに備えており、前記凸部が、前記係止爪の近傍に設けられていることが望ましい。
これならば、係止爪（保護カバーの拘束点）の近傍に凸部を設けることで、発音する固有振動モードにおいて、凸部を振動源である防護壁に確実に接触させることができる。
【００１７】
前記凸部が一体形成されていることが望ましい。
これならば、成型段階で、保護カバーに凸部を形成することになり、保護カバーに凸部を設けることが容易となる。
【００１８】
なお、本発明の凸部は、保護カバーの機械的強度を増すために保護カバーの裏面に形成されるリブとは異なるものである。
【発明の効果】
【００１９】
このように構成した本発明によれば、保護カバーの発音する固有振動モードにおいて、防護壁に接触する凸部を備えているので、保護カバーの共振により生じる騒音を低減することができる。
【図面の簡単な説明】
【００２０】
【図１】本実施形態に係る防護壁及び保護カバー（それらが離間した状態）を示す断面図。
【図２】同実施形態の防護壁及び保護カバー（取り付けられた状態）を示す断面図。
【図３】同実施形態のＡ部拡大断面図。
【図４】同実施形態の保護カバーを示す斜視図。
【図５】同実施形態の保護カバーを示す斜視図。
【図６】同実施形態の凸部の高さ設定方法を示す模式図。
【発明を実施するための形態】
【００２１】
以下に本発明に係る圧縮機用保護カバー１の一実施形態について説明する。
【００２２】
本実施形態の圧縮機用保護カバー１は、圧縮機のケーシング１００に設けられたターミナル１０１を保護するものである。圧縮機のケーシング１００内には、モーター等が収容されている。また、ターミナル１０１は、ケーシング１００から外部に露出して設けられており、外部配線が接続される複数の接続端子を有する。なお、この圧縮機としては、例えば空気調和機等に用いられるものが挙げられる。
【００２３】
具体的にこの保護カバー１は、ターミナル１０１の周囲を取り囲む防護壁２に取り付けられることにより、ターミナル１０１を保護するものである。
【００２４】
防護壁２は、図１〜図３に示すように、例えばステンレス鋼等の金属製のものであり、ターミナル１０１（複数の接続端子）の周囲を取り囲むように配置されている。本実施形態の防護壁２は、正面視において（開口方向から見て）、概略矩形状をなすものであり、圧縮機のケーシング１００にネジ又は溶接などにより固定されている。
【００２５】
そして、防護壁２の側周壁には、保護カバー１を取り付けるための取り付け部２１が形成されている。本実施形態の取り付け部２１は、保護カバー１が引っ掛かる段差である。なお、取り付け部２１としては、保護カバー１が引っ掛かる構造であれば良く、外側面に設けられた突起又は凹部などであっても良い。
【００２６】
保護カバー１は、図２及び図３に示すように、防護壁２の開口端部２ｘに取り付けられて、防護壁２の開口を覆うものである。なお、開口端部２ｘとは、防護壁２の開口端（先端面）２ｘ２から取り付け部２１までの部分である（図３参照）。
【００２７】
具体的に保護カバー１は、図１〜図５に示すように、一面が開口した概略箱形状をなす樹脂製のものであり、防護壁２の外側面を囲繞する概略矩形筒状をなす囲繞壁部１１と、防護壁２の開口を覆う概略矩形板状をなす面板部１２とを有している。
【００２８】
囲繞壁部１１は、防護壁２の開口端部２ｘの外側面２ｘ１を囲繞するものであり、その自由端部１１ｘ（保護カバー１の開口端部１ｘ）には、防護壁２の取り付け部２１に引っ掛かる係止部たる係止爪３が設けられている。
【００２９】
本実施形態の係止爪３は、囲繞壁部１１における互いに対向する壁に設けられており、より詳細には、図３に示すように、上壁１１ａに１つの係止爪３が設けられ、下壁１１ｂには、２つの係止爪３が設けられている。この係止爪３は、先端に行くに従って外側に広がる傾斜面を有するガイド面３ａと、前記取り付け部２１に係止する係止面３ｂとを有している。
【００３０】
また、囲繞壁部１１は、図３に示すように、前記防護壁２の開口端部２ｘに対応した段部を形成する水平部１１ｍ及び垂直部１１ｎを有している。
【００３１】
さらに、図４及び図５等に示すように、保護カバー１の内面、主として面板部１２の内面（裏面）には、保護カバー１の機械的強度を増すための複数のリブ４が設けられている。この複数のリブ４は、面板部１２の裏面（内面）に上下左右に格子状に形成されている。
【００３２】
このように構成した保護カバー１を防護壁２に取り付ける場合には、先ず、囲繞壁部１１の係止爪３のガイド面３ａが、防護壁２の開口端部２ｘに接触して、保護カバー１を押し込むにつれて係止爪３及び囲繞壁部１１が弾性変形して外側に広がる。そして、所定位置まで押し込むと、係止爪３が弾性復帰して、取り付け部２１に引っ掛かり、保護カバー１が防護壁２に取り付けられる。
【００３３】
ここで、図３に示すように、保護カバー１が防護壁２に取り付けられた状態で、係止爪３の係止面３ｂが接触する取り付け部２１の接触面から開口端部２ｘの先端面２ｘ２までの距離Ｗ１は、前記接触面（係止爪３の係止面３ｂ）から囲繞壁部１１の垂直部１１ｎの内面との距離Ｗ２よりも短くなるように構成されている。なお、本実施形態では、例えば距離Ｗ１は４ｍｍであり、距離Ｗ２は６ｍｍとなるように構成されている。
【００３４】
しかして、本実施形態の保護カバー１は、図１〜図５に示すように、保護カバー１の発音する固有振動モードにおいて防護壁２の開口端部２ｘと接触する複数の凸部５を有している。前記発音する固有振動モードとは、本実施形態では、面板部１２が面外方向に最も大きく振動するモードである。なお、本実施形態の保護カバー１においては、固有振動数８８７Ｈｚが発音する固有振動モードである。
【００３５】
複数の凸部５は、図３に示すように、防護壁２の開口端部２ｘと対向するように設けられており、具体的には、開口端部２ｘの外側面２ｘ１及び先端面２ｘ２に対向するように設けられている。より詳細には、各凸部５は、囲繞壁部１１の内面に設けられており、前記防護壁２の開口端部２ｘに対応した段部を形成する水平部１１ｍ及び垂直部１１ｎに亘って形成されている。そして、凸部５は、水平部１１ｍに形成されて、開口端部２ｘの外側面２ｘ１に離間して対向する外側面対向部５１と、垂直部１１ｎに形成されて、開口端部２ｘの先端面２ｘ２に離間して対向する先端面対向部５２とを有している。このように構成した凸部５は、樹脂モールド成型によって、保護カバー１と一体に形成されている。
【００３６】
また、複数の凸部５は、防護壁２の開口端部２ｘと対向する部分において、保護カバー１の発音する固有振動モードで最も振幅の大きい位置に設けられている。本実施形態の発音する固有振動モードでは、囲繞壁部１１の上壁及び下壁が最も振幅が大きい部分となるため、複数の凸部５は、囲繞壁部１１の上壁及び下壁に設けられている（図２等参照）。
【００３７】
このように凸部５を設けることによって、作動中の圧縮機において防護壁２から受ける加振力によって保護カバー１が発音する固有振動モードで振動した場合に、凸部５の外側面対向部５１が防護壁２の外側面２ｘ１に接触するか、凸部５の先端面対向部５２が防護壁２の先端面２ｘ２に接触することになる。
【００３８】
具体的には、複数の凸部５は、図３〜図５等に示すように、囲繞壁部１１の上壁及び下壁に設けられた係止爪３の近傍に設けられている。より詳細には、係止爪３に対して保護カバー１の取り付け方向後方に設けられている。本実施形態の保護カバー１は、３つの係止爪３を有する構成であり、各係止爪３に対して取り付け方向後方に１つずつ凸部５が設けられている。
【００３９】
さらに、複数の凸部５は、防護壁２の開口端部２ｘと対向する部分において、保護カバー１の発音する固有振動モードで開口端部２ｘの外側面２ｘ１又は先端面２ｘ２と同時に接触するように設けられている。具体的には、複数の凸部５それぞれと開口端部２ｘの外側面２ｘ１及び先端面２ｘ２とのクリアランスを調整することにより、複数の凸部５が対向端部２ｘに同時に接触するように設けられている。ここで、前記クリアランスには、凸部５の外側面対向部５１と開口端部２ｘの外側面２ｘ１との間の第１のクリアランスと、凸部５の先端面対向部５２と開口端部２ｘの先端面２ｘ２との間の第２のクリアランスとがあるため、複数の凸部５が開口端部２ｘと同時に接触するために、第１のクリアランス及び第２のクリアランスの両方を調整することになる。
【００４０】
つまり、保護カバー１の発音する固有振動モードで振動する場合において、凸部５が設けられた各部の振幅が同じとなるように、囲繞壁部１１の内面に対する凸部５の高さ寸法が設定されている。なお、保護カバー１の組み付け性を考慮して、前記クリアランスが少なくとも０．５ｍｍとなるように、凸部５の高さ寸法が設定される。
【００４１】
次に、本実施形態の保護カバー１の設計方法について簡単に説明する。
【００４２】
先ず、保護カバー１の各固有振動数における固有振動モード（モードシェイプ）を確認して、騒音の原因となる発音する固有振動モードを特定する（発音モードの特定）。
【００４３】
そして、当該発音する固有振動モードにおいて、防護壁２に接触し得る部分（囲繞壁部１１）において、最も振幅の大きい位置を特定して、当該位置に凸部５を設定する（凸部５の位置設定）。
【００４４】
その後、保護カバー１の防護壁２への組み付け性を確保するクリアランス（例えば０．５ｍｍ）を確保しつつ、各凸部５の高さ寸法を設定する（凸部５の高さ設定）。なお、この時、発音しない固有振動モードに悪影響を与えないようにする。
【００４５】
ここで、凸部５の高さ寸法の設定方法は、図６に示すように、３つの凸部５が設けられた各位置（Ａ点、Ｂ点、Ｃ点）を自由端として見たときの振動中心（支持回転中心）が、保護カバー１の重心Ｇを通るように設定する。
【００４６】
図６において、保護カバー１の重心が、保護カバーの中心よりも左側に位置している。このとき、各凸部５と開口端部とのクリアランスが互いに同一とした場合に、振動中心が保護カバー１の中心に位置していたとする。この場合は、Ｂ点にある凸部５と開口端部とのクリアランスを大きくし、Ａ点にある凸部５と開口端部とのクリアランスを小さくすることによって、３つの凸部５による振動中心を保護カバー１の重心位置に移動させる。このように３つの凸部５による振動中心と、保護カバー１の重心位置とを一致させることによって、発音する固有振動モードにおいて、３つの凸部５が開口端部に同時に接触することになる。
【００４７】
＜本実施形態の効果＞
このように構成した保護カバー１によれば、保護カバー１の発音する固有振動モードにおいて、防護壁２の開口端部２ｘに接触する凸部５を備えているので、防護壁２から受ける加振力によって保護カバー１が共振（共鳴）したとしても、凸部５が開口端部２ｘの外側面２ｘ１又は先端面２ｘ２に接触することで、固有振動モード（共鳴）を減衰させることができ、騒音を低減することができる。本実施形態では、発音する固有振動モードが、面板部１２が面外方向に最も大きく振動するモードであり、このモードを減衰させることで、騒音の低減効果を顕著にすることができる。
【００４８】
また、凸部５により保護カバー１の固有振動モードにおける振幅を小さくすることができ、防護壁２から受ける加振力を弱めることができる。これによっても、固有振動モード（共鳴）を減衰させることができ、騒音を低減することができる。
【００４９】
さらに、複数の凸部５を最も振幅の大きい位置に設けているので、発音する固有振動モードを効率良く減衰させることができ、騒音を好適に低減させることができる。
【００５０】
そして、複数の凸部５が、発音する固有振動モードで開口端部２ｘに同時に接触するので、保護カバー１の共振（共鳴）を効率良く減衰させることができ、騒音を低減することができる。また、防護壁２から受ける加振力を複数の凸部５に分散させて、各凸部５が防護壁２から受ける加振力を弱めることができ、共振（共鳴）を減衰させることができ、騒音を低減することができる。
【００５１】
加えて、係止爪３（保護カバーの拘束点）の近傍に凸部５を設けることで、発音する固有振動モードにおいて、凸部５を振動源である防護壁に確実に接触させることができる。
【００５２】
加えて、固有振動モードや低減したい騒音の周波数等に合わせて、凸部５の形状を変えることで、個々の圧縮機に応じて振動を減らすことができる。
【００５３】
その他、係止爪３のガイド面３ａの傾斜角度や係止面３ｂのサイズ等、係止爪３の形状を変えることで、防護壁２と保護カバー１との嵌合力を自在に変えることができる。
【００５４】
なお、本発明は前記第実施形態に限られるものではない。
例えば前記実施形態では、囲繞壁部が概略矩形筒状をなすものであったが、円筒形状をなすものなど種々の形状であっても良い。
【００５５】
また、凸部５を設ける位置としては、係止爪３の近傍に限られず、開口端部に対向する位置であれば良い。
【００５６】
さらに、凸部５を設ける位置は、発音する固有振動モードにおいて最も振幅の大きい位置でなくても良い。
【００５７】
その他、本発明は前記実施形態に限られず、その趣旨を逸脱しない範囲で種々の変形が可能であるのは言うまでもない。
【符号の説明】
【００５８】
１・・・保護カバー
１１・・・囲繞壁部
１２・・・面板部
２・・・防護壁
２ｘ・・・開口端部
２ｘ１・・・外側面
２ｘ２・・・先端面
【図１】
2015117690.tif 000003
【図２】
2015117690.tif 000004
【図３】
2015117690.tif 000005
【図４】
2015117690.tif 000006
【図５】
2015117690.tif 000007
【図６】
2015117690.tif 000008